(57)【特許請求の範囲】
【請求項１】
複数の流体管路が接続された断面形状が円形のシリンダの内周面部分に上記複数の流体管路の中の少なくとも一つが開口し、上記シリンダ内に軸線方向に進退自在に配置されたピストンの外周面に形成された有底孔内に、上記シリンダの内周面の上記開口のみを単独で塞ぐための弾力性のある部材からなる当接栓が上記シリンダの内周面により押し潰されて弾性変形した状態に配置された内視鏡の管路切換弁において、
上記当接栓の外端面を上記シリンダの内周面の半径より小さな曲率半径の球面形状に形成したことを特徴とする内視鏡の管路切換弁。
【請求項２】
上記ピストンの軸線方向での上記有底孔の両端部位置において、上記当接栓の外端面が上記有底孔内に潜っていて上記ピストンの外周面より凹んだ位置にある請求項１記載の内視鏡の管路切換弁。
【請求項３】
上記ピストンの周方向での上記有底孔の両端部位置においても、上記当接栓の外端面が上記有底孔内に潜っていて上記ピストンの外周面より凹んだ位置にある請求項２記載の内視鏡の管路切換弁。
【請求項４】
上記内視鏡の挿入部の先端に膨縮自在なバルーンが取り付けられていて、上記当接栓によって塞がれる上記開口が上記バルーン内に連通する流体管路の開口である請求項１、２又は３記載の内視鏡の管路切換弁。
【発明の詳細な説明】
【技術分野】
【０００１】
この発明は内視鏡の管路切換弁に関する。
【背景技術】
【０００２】
送気送水管路や吸引管路等の切り換え操作を行うために内視鏡の操作部に設けられた管路切換弁は一般に、複数の流体管路が接続された断面形状が円形のシリンダにピストンが軸線方向に進退自在に配置された構成になっていて、ピストンに形成された円周溝に装着されているＯリング等によって管路間のシールをしている。
【０００３】
しかし、挿入部の先端に膨縮自在なバルーンが取り付けられた内視鏡（例えば超音波内視鏡）では、バルーンに連通する流体管路に対する切り換え機能が追加されるので、全部の管路間シールをＯリングで行うと管路切換弁の長さが長くなり過ぎてしまう。
【０００４】
そこで、そのような内視鏡の管路切換弁では、バルーン内に連通する流体管路のシリンダ内への開口だけを単独で塞ぐための弾力性のある部材からなる当接栓が、シリンダの内周面により押し潰されて弾性変形した状態にピストンの外周面部分に取り付けられている（例えば、特許文献１）。
【特許文献１】特開２００５−５８５４７
【発明の開示】
【発明が解決しようとする課題】
【０００５】
図１３は、従来の内視鏡の管路切換弁の当接栓９５部分の拡大図であり、図示されていないバルーン内に連通するバルーン吸引管路９１がシリンダ９２の外面に連通接続されて、バルーン吸引管路９１の開口９１ａがシリンダ９２の内周面に形成されている。
【０００６】
そして、シリンダ９２内に軸線方向に進退自在に配置されたピストン９３の外周面に形成された有底孔９４内に、バルーン吸引管路９１の開口９１ａのみを単独で塞ぐための弾力性のある部材からなる当接栓９５が、シリンダ９２の内周面で押し潰されて弾性変形した状態に配置されている。なお、図１３には、当接栓９５が押し潰される前の状態の形状が図示されている。
【０００７】
このような構成の内視鏡の管路切換弁においては、管路切り換えのためにピストン９３が軸線方向に進退操作される度に当接栓９５の外端面がシリンダ９２の内周面で擦られ、特に、図１４に示されるように、バルーン吸引管路９１の開口９１ａの縁部に当接栓９５の端部が引っ掛かる状態になることで、当接栓９５が早期に破損して流体漏れが発生する場合があった。なお、図１４には、当接栓９５が弾性変形した実際の形状が図示されている。
【０００８】
そこで本発明は、管路切り換え操作が繰り返されても、シリンダの内周面に形成された開口のみを単独で塞ぐための当接栓が破損しない優れた耐久性を得ることができる内視鏡の管路切換弁を提供することを目的とする。
【課題を解決するための手段】
【０００９】
上記の目的を達成するため、本発明の内視鏡の管路切換弁は、複数の流体管路が接続された断面形状が円形のシリンダの内周面部分に複数の流体管路の中の少なくとも一つが開口し、シリンダ内に軸線方向に進退自在に配置されたピストンの外周面に形成された有底孔内に、シリンダの内周面の開口のみを単独で塞ぐための弾力性のある部材からなる当接栓がシリンダの内周面により押し潰されて弾性変形した状態に配置された内視鏡の管路切換弁において、当接栓の外端面をシリンダの内周面の半径より小さな曲率半径の球面形状に形成したものである。
【００１０】
なお、ピストンの軸線方向での有底孔の両端部位置において、当接栓の外端面が有底孔内に潜っていてピストンの外周面より凹んだ位置にあってもよい。そして、ピストンの周方向での有底孔の両端部位置においても、当接栓の外端面が有底孔内に潜っていてピストンの外周面より凹んだ位置にあってもよい。
【００１１】
また、内視鏡の挿入部の先端に膨縮自在なバルーンが取り付けられていて、当接栓によって塞がれる開口がバルーン内に連通する流体管路の開口であってもよい。
【発明の効果】
【００１２】
シリンダの内周面に形成された開口のみを単独で塞ぐためにピストンの外周面の有底孔内に配置された当接栓の外端面を、シリンダの内周面の半径より小さな曲率半径の球面形状に形成したことにより、管路切り換え操作が繰り返されても当接栓が開口の縁部に引っ掛かって破損することがなく、優れた耐久性を得ることができる。
【発明を実施するための最良の形態】
【００１３】
複数の流体管路が接続された断面形状が円形のシリンダの内周面部分に複数の流体管路の中の少なくとも一つが開口し、シリンダ内に軸線方向に進退自在に配置されたピストンの外周面に形成された有底孔内に、シリンダの内周面の開口のみを単独で塞ぐための弾力性のある部材からなる当接栓がシリンダの内周面により押し潰されて弾性変形した状態に配置された内視鏡の管路切換弁において、当接栓の外端面をシリンダの内周面の半径より小さな曲率半径の球面形状に形成する。
【実施例】
【００１４】
図面を参照して本発明の実施例を説明する。
図２は本発明が適用された超音波内視鏡を示しており、可撓性の挿入部１の基端に操作部２が連結され、挿入部１の先端には、軸線周りに超音波信号を発受信する例えばラジアル走査の超音波プローブ３が配置されると共に、前方を光学観察するための光学観察窓４が先端面に配置されている。
【００１５】
また、挿入部１の先端部分は、超音波プローブ３と被検部との間に超音波信号の伝達性の悪い空気層がないようにするために、脱気水等によって膨縮されるバルーン５が超音波プローブ３を囲む状態に取り付けられるようになっている。
【００１６】
挿入部１内には、鉗子や注射具等を挿脱するための鉗子チャンネル６が全長にわたって挿通配置されていて、その先端開口であるチャンネル吸引口６ａが、バルーン５の外部に位置する挿入部１の先端面に配置されている。
【００１７】
鉗子挿入口６ｂは挿入部１と操作部２との連結部付近に配置されており、また、鉗子チャンネル６に対してその基端部付近において連通接続されたチャンネル吸引管路７が、操作部２の上半部に配置された吸引操作弁１０に接続されている。
【００１８】
挿入部１内から操作部２内には、バルーン５内に充填された脱気水を吸引するためのバルーン吸引管路８等も挿通配置されていて、バルーン吸引管路８の先端開口であるバルーン吸引口８ａは挿入部１の先端においてバルーン５の内側に開口し、バルーン吸引管路８の基端は操作部２内において吸引操作弁１０に接続されている。９は、吸引操作弁１０と図示されていない吸引源とを連通接続する吸引元管路である。
【００１９】
図１と図３は、吸引操作弁１０の待機状態を示す縦断面図であり、図１は、図４におけるＩ−Ｉ断面図であって待機状態での管路切り換え状態を示し、図３は、図４におけるIII−III断面図であって、シリンダ１１に対して吸引管路切換用ピストン１４が軸線周りに回転するのを規制するための回転止め用突起２５と係合溝２６を含むものである。
【００２０】
図１と図３に示されるように、操作部２内に配置されたシリンダ１１は、外方に向けて開口する状態に固定ナット１２により操作部２に固定されている。１３はシール用のＯリングである。なお、図１及び図４においては、弾力性があって押し潰された状態に装着されるシール部材の類の押し潰される前の状態が図示されている。
【００２１】
有底の円筒状に形成されたシリンダ１１は、奥寄りの半部の内径が口元寄りの半部の内径より細く形成されており、チャンネル吸引管路７の基端は、そのようなシリンダ１１の底面部に開口接続されている。
【００２２】
また、バルーン吸引管路８と吸引元管路９は、図３におけるIV−IV断面を図示する図４にも示されるように、軸線周り方向に位置をずらして、且つ吸引元管路９がバルーン吸引管路８より奥側（図３において下方）にある位置関係に、シリンダ１１の口元寄りの部分の側面部に接続され、バルーン吸引管路８の基端開口８ｂ（開口）と吸引元管路９の接続開口９ａとが、各々シリンダ１１の内周面に開口している。
【００２３】
図１と図３に示されるように、シリンダ１１内に軸線方向に進退自在に嵌挿されたピストンは、シリンダ１１に対して軸線方向に進退自在に内接する円筒状の吸引管路切換用ピストン１４と、その吸引管路切換用ピストン１４に対して軸線方向にスライド自在に内接する外気吸引切換用ピストン１５とが同軸に配置された構造になっていて、外気吸引切換用ピストン１５は、全長にわたって吸引管路切換用ピストン１４の内周より小さな外径に形成されている。
【００２４】
そして、吸引管路切換用ピストン１４と外気吸引切換用ピストン１５の各々の外径は、シリンダ１１の奥寄りの半部（小径部）の内周面に外気吸引切換用ピストン１５のみが内接し、シリンダ１１の口元寄りの半部（太径部）の内周面に吸引管路切換用ピストン１４のみが内接するように形成されている。
【００２５】
吸引管路切換用ピストン１４と外気吸引切換用ピストン１５の頭部は、操作部２の外表面に開口するシリンダ１１の口元から突出していて、外気吸引切換用ピストン１５の頭部には、第１のバネ受け部材１８と、図５の分解斜視図にも示される連結軸１５０を介して操作ボタン１６が取り付けられている。
【００２６】
吸引管路切換用ピストン１４の頭部部分には、図６にも示されるように、フランジ管状に形成された第２のバネ受け部材１９が螺合連結されており、第１のバネ受け部材１８と第２のバネ受け部材１９との間に装着された第１の圧縮コイルスプリング２１によって、外気吸引切換用ピストン１５が吸引管路切換用ピストン１４から外方に飛び出す方向（図１及び図３において上方）に付勢されている。
【００２７】
ただし、吸引管路切換用ピストン１４の内面の途中に形成された段部と外気吸引切換用ピストン１５の外面の途中に形成された段部とが当接することにより、外気吸引切換用ピストン１５が図１及び図３に示された状態より吸引管路切換用ピストン１４から相対的に外方に飛び出せないように規制されている。
【００２８】
また、第１の圧縮コイルスプリング２１が外部から見えないようにカバーをする第１のカバー筒１７が、第１の圧縮コイルスプリング２１によって第２のバネ受け部材１９に押し付けられた状態に取り付けられている。
【００２９】
２２は、第１の圧縮コイルスプリング２１に比べて数倍大きなバネ定数に設定されている第２の圧縮コイルスプリングであり、第１の圧縮コイルスプリング２１と直列の関係に配置されて、第２のバネ受け部材１９を外方に付勢している。
【００３０】
第２の圧縮コイルスプリング２２の基端側を受けるピストン止め環２０Ａは、吸引管路切換用ピストン１４が所定状態以上にシリンダ１１内から抜け出すのを阻止するストッパにもなっていて、第２の圧縮コイルスプリング２２を外部から見えないようにするためのカバーの機能も有している。
【００３１】
また、ピストン止め環２０Ａに一体的にライニングされた弾力性のあるプラスチック材等からなる係止環２０Ｂの下端部の内爪部分が固定ナット１２の外周鍔部に引っ掛かり係合し、それによって吸引管路切換用ピストン１４、外気吸引切換用ピストン１５及び操作ボタン１６等を含むユニットをシリンダ１１に固定している。
【００３２】
したがって、係止環２０Ｂを弾性変形させて固定ナット１２との係合を解けば、操作ボタン１６等と共に吸引管路切換用ピストン１４や外気吸引切換用ピストン１５をシリンダ１１から外方に引き出すことができる。
【００３３】
また、吸引管路切換用ピストン１４と外気吸引切換用ピストン１５とには、図１におけるVII−VII断面を図示する図７に示されるように、外気吸引切換用ピストン１５の外面を１８０°対称位置で平らに削ぎ落とした平面部１５ａと、その平面部１５ａを緩く挟む状態に吸引管路切換用ピストン１４の内面に形成された平面部１４ａとが互いに向かい合う状態に配置されており、その結果、吸引管路切換用ピストン１４と外気吸引切換用ピストン１５も、相対的に軸線方向には移動自在であるが、軸線周りに回転することはできない。
【００３４】
そのような吸引管路切換用ピストン１４には、図６にも示されるように、シリンダ１１の口元寄りの部分の内周面に摺接するように吸引管路切換用ピストン１４の外周面の中間部分に装着されたシール用のＯリング２７を挟んでその両側に、外位置側孔２８と内位置側孔２９とが各々側壁を貫通して形成されている。
【００３５】
また、シリンダ１１の内周面と嵌合する吸引管路切換用ピストン１４の奥側端部付近の外周面には、バルーン吸引管路８の基端開口８ｂのみを単独で塞ぐようにシリンダ１１の内周面に摺接する弾力性のあるゴム材等からなる当接栓３４が、バルーン吸引管路８の基端開口８ｂに対向する位置に形成された円形の有底孔３３内に、中央付近が少し出っ張った状態に嵌め込まれている。
【００３６】
当接栓３４は、図８にその縦断面図が拡大して示されて、前出の図４に平面断面図が示され、また図６に外観斜視図が示されるように、直径がバルーン吸引管路８の基端開口８ｂより大きくて、吸引管路切換用ピストン１４の直径の４分の１程度の大きさの円盤状又は円柱状のものである。
【００３７】
ただし、当接栓３４の外端面は球面状に盛り上がった形状に形成されていて、その中央部分は、吸引管路切換用ピストン１４の外面より少し突出していて、シリンダ１１の内周面で押し潰された状態に弾性変形してバルーン吸引管路８の基端開口８ｂを塞ぐ状態になる。なお、図４及び図８には当接栓３４が潰されていない状態の形状が図示されている。
【００３８】
シリンダ１１の内周面に向けられている当接栓３４の外端面はシリンダ１１の内周面の半径より小さな曲率半径の球面状に形成されていて、その周辺部分は有底孔３３内に潜っていて吸引管路切換用ピストン１４の外周面より少し凹んだ位置にある。
【００３９】
即ち、図８に示されるように、吸引管路切換用ピストン１４の軸線方向での有底孔３３の両端部位置において、当接栓３４の外端面が有底孔３３内に潜っていて吸引管路切換用ピストン１４の外周面より少し凹んだ位置にあり、また、図４に示されるように、吸引管路切換用ピストン１４の周方向での有底孔３３の両端部位置においても、当接栓３４の外端面が有底孔３３内に潜っていて吸引管路切換用ピストン１４の外周面より少し凹んだ位置にある。
【００４０】
その結果、シリンダ１１から取り外された吸引管路切換用ピストン１４がシリンダ１１に組み付けられる際等には当接栓３４がシリンダ１１の口元開口部に引っ掛からず、吸引管路切換用ピストン１４がシリンダ１１内で軸線方向に進退動作する際には、当接栓３４がバルーン吸引管路８の基端開口８ｂの縁部に引っ掛からない。
【００４１】
当接栓３４と並んで、流体の通路となる吸引路３０が、図１及び図４等に示されるように、吸引管路切換用ピストン１４の奥側端部付近の外面を部分的に削ぎ落として形成されており、そのような吸引路３０は、吸引元管路９の接続開口９ａに面する位置とそれに対して１８０°対称の位置とに形成されている。
【００４２】
ただし、図４に示されるように、吸引管路切換用ピストン１４の当接栓３４が取り付けられている位置に対して１８０°対称の裏側位置Ａでは、吸引管路切換用ピストン１４の外周面が吸引路３０等によって切り欠かれることなくシリンダ１１の内周面にピッタリと接している。
【００４３】
したがって、吸引管路切換用ピストン１４とシリンダ１１との間で押し潰されている当接栓３４から生じる反発力によって吸引管路切換用ピストン１４が裏側位置Ａ方向に強く付勢されているものの、それによって吸引管路切換用ピストン１４の軸線位置がずれてしまうことはなく、吸引管路切換用ピストン１４が軸線方向にスムーズに進退する。
【００４４】
図１に示されるように、外気吸引切換用ピストン１５には、側面と奥側端面とに開口するチャンネル吸引連通孔３１がＬ字状に形成されている。３１ａは奥側開口、３１ｂは側面開口である。
【００４５】
そして、外気吸引切換用ピストン１５の外周面には、図５にも示されるように、奥側端部付近と、チャンネル吸引連通孔３１の側面開口３１ｂを挟んでその両側位置とに各々、シリンダ１１の内周面に摺接するシール用のＯリング３５が装着されている。また、連結軸１５０の基部付近にもＯリング３６が装着されている。
【００４６】
また、図３に示されるように、シリンダ１１に対して吸引管路切換用ピストン１４が軸線周りに回転するのを規制するための回転止め用突起２５が、吸引管路切換用ピストン１４の最先端位置（即ち、シリンダ１１の奥側に最も潜る位置）の近傍の外周面に突設されている。
【００４７】
そして、回転止め用突起２５と係合する係合溝２６が、回転止め用突起２５の移動範囲に対応してシリンダ１１の内周面に軸線と平行方向に真っ直ぐに形成されている。その結果、吸引管路切換用ピストン１４はシリンダ１１に対して軸線方向には移動自在であるが、軸線周りに回転することはできない。
【００４８】
回転止め用突起２５は吸引管路切換用ピストン１４に固定的に埋設されていて、吸引管路切換用ピストン１４の外周面から側方に突出する部分は球面状に形成されている。係合溝２６の断面形状は、回転止め用突起２５に対して一定の僅かな隙間ができる程度の円弧状に形成されている。したがって、吸引管路切換用ピストン１４が軸線方向に進退動作する際に、軸線周り方向に回転力等が加わっても係合溝２６との間の摺動抵抗が小さくスムーズに進退する。
【００４９】
吸引管路切換用ピストン１４とシリンダ１１に対する回転止め用突起２５と係合溝２６の配置は、図３及び図４に示されるように、回転止め用突起２５が当接栓３４の位置よりごく僅かに口元寄りで当接栓３４と干渉しない位置関係に配置され、係合溝２６がバルーン吸引管路８の基端開口８ｂや吸引元管路９の接続開口９ａ等と干渉しない位置関係に配置されている。
【００５０】
このように構成された実施例の内視鏡の管路切換弁は、図１及び図３に示される待機状態においては、吸引管路切換用ピストン１４と外気吸引切換用ピストン１５が第２の圧縮コイルスプリング２２と第１の圧縮コイルスプリング２１によって、各々最大限に外方に突出する状態に押し上げられている。
【００５１】
そして、外気が外位置側孔２８を通って吸引管路切換用ピストン１４内に入った後、内位置側孔２９から吸引管路切換用ピストン１４とシリンダ１１との隙間へ出て、そこから吸引路３０内を通過して吸引元管路９に吸引されている。チャンネル吸引管路７及びバルーン吸引管路８からの吸引は、Ｏリング３５及び当接栓３４によって阻止されている。
【００５２】
その状態から、指先で操作ボタン１６を押し込み操作して、図９に示されるように、第１の圧縮コイルスプリング２１が圧縮され終わって第２の圧縮コイルスプリング２２も圧縮され始める位置に操作ボタン１６が達すると、操作ボタン１６を操作する指に大きな抵抗が作用し、その時に、外気吸引切換用ピストン１５に形成されているチャンネル吸引連通孔３１の側面開口３１ｂが吸引元管路９の接続開口９ａに対向する位置に来る。
【００５３】
その結果、チャンネル吸引管路７と吸引元管路９とがシリンダ１１内とチャンネル吸引連通孔３１とを介して連通し、挿入部１の先端のチャンネル吸引口６ａから体内の汚液等が吸引源に吸引される。
【００５４】
その状態においては、依然として吸引管路切換用ピストン１４は移動しておらず、その状態で操作ボタン１６から指を離せば元の待機状態に戻る。したがって、バルーン吸引管路８の基端開口８ｂを当接栓３４で完全に塞いだ状態のままで、チャンネル吸引管路７からの吸引操作のみを行うことができる。
【００５５】
また、前述のように、シリンダ１１と吸引管路切換用ピストン１４との間は回転止め用突起２５と係合溝２６との係合により軸線周りの回転止めがなされ、吸引管路切換用ピストン１４と外気吸引切換用ピストン１５との間は平面部１４ａ，１５ａどうしの係合により軸線周りの回転止めがなされていることにより、チャンネル吸引連通孔３１の側面開口３１ｂが常に正確に吸引元管路９の接続開口９ａに対向するので、固形の吸引物等があっても吸引操作弁１０内で詰まることなく確実に吸引元管路９に吸引排出される。
【００５６】
図９に示される状態からさらに指先に力を入れて操作ボタン１６を押し込むと、図１０に示されるように回転止め用突起２５が係合溝２６の奥側位置（図において下方）に摺動して、図１１に示されるように、第１の圧縮コイルスプリング２１に続いて第２の圧縮コイルスプリング２２も圧縮され、外気吸引切換用ピストン１５と共に吸引管路切換用ピストン１４がシリンダ１１内に押し込まれた状態になる。
【００５７】
すると、バルーン吸引管路８の基端開口８ｂに対向する位置から奥側に当接栓３４が移動すると同時に、チャンネル吸引連通孔３１の側面開口３１ｂが接続開口９ａに対向する位置からシリンダ１１の奥側半部内に退避して塞がれた状態になる。
【００５８】
その結果、バルーン吸引管路８の基端開口８ｂと吸引元管路９の接続開口９ａとの間のみが、シリンダ１１の内周面と吸引管路切換用ピストン１４の外周面との間に形成された空間Ｂ及び吸引路３０を経由して連通した状態になるので、バルーン５内の脱気水等が挿入部１の先端のバルーン吸引口８ａから吸引源に吸引されてバルーン５を縮ませることができる。
【００５９】
そして、操作ボタン１６から指を離せば、図９に図示されるチャンネル吸引管路７からの吸引状態を経て図１及び図３に図示される待機状態に戻るが、その際に、当接栓３４がバルーン吸引管路８の基端開口８ｂ部分を通過する。
【００６０】
しかし、当接栓３４の外端面がシリンダ１１の軸線方向での有底孔３３の両端部位置において有底孔３３内に潜っていることにより、図１２に示されるように、当接栓３４がバルーン吸引管路８の基端開口８ｂの縁部に引っ掛からず、したがってこの動作が繰り返し行われても当接栓３４が破損しない。
【００６１】
また、当接栓３４の外端面がシリンダ１１の周方向での有底孔３３の両端部位置においても有底孔３３内に潜っていることにより、当接栓３４がシリンダ１１の内周面に対して引っ掛かった状態になり難く、当接栓３４の耐久性が向上する。
【００６２】
なお、本発明は上記実施例に限定されるものではなく、例えば、本発明を超音波内視鏡以外の一般の内視鏡に適用してもよく、送気送水操作弁その他の各種操作弁に適用することができる。
【図面の簡単な説明】
【００６３】
【図１】本発明の実施例の内視鏡の管路切換弁における待機状態の縦断面図（図４におけるＩ−Ｉ断面図）である。
【図２】本発明の実施例の超音波内視鏡の全体構成を示す側面図である。
【図３】本発明の実施例の内視鏡の管路切換弁における待機状態の回転止め用突起を含む縦断面図（図４におけるIII−III断面図）である。
【図４】本発明の実施例の内視鏡の管路切換弁の図３におけるIV−IV断面図である。
【図５】本発明の実施例の内視鏡の管路切換弁の外気吸引切換用ピストンの分解斜視図である。
【図６】本発明の実施例の内視鏡の管路切換弁の吸引管路切換用ピストンの分解斜視図である。
【図７】本発明の実施例の内視鏡の管路切換弁の図１におけるVII−VII断面図である。
【図８】本発明の実施例の内視鏡の管路切換弁の当接栓部分の拡大縦断面図である。
【図９】本発明の実施例の内視鏡の管路切換弁においてチャンネル吸引管路から吸引される状態の縦断面図である。
【図１０】本発明の実施例の内視鏡の管路切換弁においてバルーン吸引管路から吸引される状態の回転止め用突起を含む縦断面図である。
【図１１】本発明の実施例の内視鏡の管路切換弁においてバルーン吸引管路から吸引される状態の縦断面図である。
【図１２】本発明の実施例の内視鏡の管路切換弁の当接栓がバルーン吸引管路の基端開口部分を通過する状態の拡大縦断面図である。
【図１３】従来の内視鏡の管路切換弁の当接栓部分の拡大縦断面図である。
【図１４】従来の内視鏡の管路切換弁の当接栓がバルーン吸引管路の基端開口部分を通過する状態の拡大縦断面図である。
【符号の説明】
【００６４】
８  バルーン吸引管路（流体管路）
８ｂ  基端開口（開口）
９  吸引元管路（流体管路）
１１  シリンダ
１４  吸引管路切換用ピストン
３３  有底孔
３４  当接栓
【図１】
0004787025.tif 000002
【図２】
0004787025.tif 000003
【図３】
0004787025.tif 000004
【図４】
0004787025.tif 000005
【図５】
0004787025.tif 000006
【図６】
0004787025.tif 000007
【図７】
0004787025.tif 000008
【図８】
0004787025.tif 000009
【図９】
0004787025.tif 000010
【図１０】
0004787025.tif 000011
【図１１】
0004787025.tif 000012
【図１２】
0004787025.tif 000013
【図１３】
0004787025.tif 000014
【図１４】
0004787025.tif 000015